(57)【特許請求の範囲】
【請求項１】
フロントエンド回路であって、
１つのアンテナ接続端子と接続されている１つの第１の信号経路と、
前記第１の信号経路に配設されており、１つの第１の周波数領域内でチューナブルな１つの第１のフィルタと、
１つの特別信号経路、および当該特別信号経路に配設されている、１つの特別周波数帯域用の１つの通過帯域を備えかつチューナブルでない１つの固定フィルタと、
１つの第２のフィルタが配設されている、１つの第２の信号経路と、
を備え、
前記特別周波数帯域は、前記第１の周波数領域の外側または内側に配設されており、
前記第２のフィルタは、前記第１の周波数領域と異なりかつ前記特別周波数帯域と異なる、１つの第２の周波数領域内でチューナブルであり、
前記第１の信号経路は、１つの第１のアンテナ接続端子を介して、１つの第１のアンテナとカップリングされており、
前記特別信号経路は、１つの特別アンテナ接続端子を介して、１つの第２のアンテナとカップリングされており、
前記第１のアンテナと前記第１および前記第２の信号経路との間には、１つのダイプレクサが配設されており、当該ダイプレクサの出力部に前記第１および前記第２の信号経路が接続されており、前記アンテナは１つの二重共振アンテナであり、当該二重共振アンテナは、１つの基本周波数およびこれに付随する高調波で、送信および受信することができ、
前記フロントエンド回路は、さらに、
１つの第２のアンテナと、
１つの第３の信号経路および１つの第４の信号経路と、当該第３および第４の信号経路に配設されている、第３および第４の周波数領域内でチューナブルなフィルタと、
前記第２のアンテナと、前記第３および前記第４の信号経路との間に配設されている、１つのダイプレクサと、
前記第２のダイプレクサの２つの出力部の各々と、それぞれのフィルタとの間に配設されている、１つのアンテナチューナーと、
を有し、
前記第１乃至前記第４の周波数領域は、互いに異なっているか、または重なっている、
ことを特徴とするフロントエンド回路。
【請求項２】
前記信号経路の各々には、１つの増幅器が配設されていることを特徴とする、請求項１に記載のフロントエンド回路。
【請求項３】
請求項１または２に記載のフロントエンド回路において、
前記第１および前記第２の信号経路において、フィルタとアンテナ接続端子との間に、１つの狭帯域の、それぞれのチューナブルな周波数領域に設定されたアンテナチューナーが配設されていることを特徴とするフロントエンド回路。
【請求項４】
請求項１乃至３のいずれか１項に記載のフロントエンド回路において、
前記第１および前記第２のフィルタはそれぞれ、１つの送信部分フィルタおよび１つの受信部分フィルタを有するデュプレクサとして構成されており、当該デュプレクサでは送信部分フィルタも、また受信部分フィルタもチューナブルに構成されており、それぞれ１つの送信部分信号路または１つの受信部分信号路に配設されていることを特徴とするフロントエンド回路。
【請求項５】
チューナブルフィルタが配設されている信号経路には、その動作周波数にチューナブルな増幅器が配設されていることを特徴とする、請求項１乃至４のいずれか１項に記載のフロントエンド回路。
【請求項６】
送信経路として、または送信部分経路として構成されている、チューナブルフィルタを有する全ての信号経路に、１つのチューナブルなマッチングネットワークが配設されていることを特徴とする、請求項１乃至５のいずれか１項に記載のフロントエンド回路。
【請求項７】
請求項１乃至６のいずれか１項に記載のフロントエンド回路において、
前記チューナブルフィルタは、それぞれ１つのフィルタ回路として実装されており、
各々のフィルタ回路は、キャパシタンスおよびインダクタンスで実現されており、それぞれ複数の高Ｑ値の受動的なＬ素子およびＣ素子を備え、当該フィルタ回路のそれぞれは、そのフィルタ回路の１つの値にチューニング可能に構成されている、
ことを特徴とするフロントエンド回路。
【請求項８】
請求項１乃至７のいずれか１項に記載のフロントエンド回路において、
少なくとも４つの回路ノード（Ｎ）を備える、１つの直列の信号ライン（ＳＬ）を備え、
それぞれ１つの、前記回路ノードにカップリングされ、グラウンドに回路接続されている並列分岐路を有し、
各々の並列分岐路には、１つの高Ｑ値のチューナブルなリアクタンス素子（ＣＴ）が配設されており、
前記リアクタンス素子は、互いにカップリングされている、
ことを特徴とするフロントエンド回路。
【請求項９】
請求項８に記載のフロントエンド回路において、
複数の前記リアクタンス素子は、複数のカップリングコンデンサ（ＣＫ）を介して互いにカップリングされており、当該カップリングコンデンサは、前記直列信号ラインの途中で、２つの隣り合う回路ノード毎に配設されていることを特徴とするフロントエンド回路。
【請求項１０】
請求項８または９に記載のフロントエンド回路において、
前記直列信号ラインにおいて両側で終端に配設されている回路ノード（Ｎ）は、当該直列信号ラインに対して並列に回路接続されたバイパスインダクタンス（ＢＩ）またはバイパスキャパシタンスを介して互いに接続されており、
前記リアクタンス素子は、複数の並列共振回路として構成されており、複数の当該並列共振回路は、それぞれ１つの高Ｑ値のチューナブルコンデンサ（ＣＴ）および１つの高Ｑ値のインダクタンス（ＰＩ）の並列回路を備えている、
ことを特徴とするフロントエンド回路。
【請求項１１】
請求項１０に記載のフロントエンド回路において、
１つの半導体回路における前記チューナブルコンデンサ（ＣＴ）は、バラクタ、あるいは、複数のＭＩＭコンデンサまたは複数のＭＥＭＳコンデンサから構成されている切り替え可能なコンデンサアレイであることを特徴とするフロントエンド回路。
【請求項１２】
請求項１乃至１１のいずれか１項に記載のフロントエンド回路において、
各々の信号経路（ＳＰ）において、それぞれの前記フィルタ（ＦＴ）と前記アンテナ接続端子（ＡＴ）との間には、１つのチューナブルな位相シフタ（ＰＳ）が配設されていることを特徴とするフロントエンド回路。
【請求項１３】
請求項１２に記載のフロントエンド回路において、
前記チューナブルな位相シフタ（ＰＳ）および前記チューナブルフィルタ（ＦＴ）は制御ユニットと接続されており、これより当該制御ユニットの１つの制御信号を用いてチューニング可能であることを特徴とするフロントエンド回路。
【請求項１４】
請求項１乃至１３のいずれか１項に記載のフロントエンド回路において、
１つのイントラバンドＣＡモードが、固定フィルタ回路を有する信号経路およびチューナブルフィルタを有する信号経路によって可能となっていることを特徴とするフロントエンド回路。
【発明の詳細な説明】
【技術分野】
【０００１】
本発明は、チューナブルフィルタを有するフロントエンド回路に関し、たとえばワイヤレス通信機器に使用されるようなフロントエンド回路に関する。さらに本発明は、キャリアアグリゲーションモードを可能とするフロントエンド回路に関し、このキャリアアグリゲーションモードでは３つの送信バンドまたは受信バンドにおいて同時に送信または受信することができる。
【背景技術】
【０００２】
携帯可能な通信機器、ＷＬＡＮルータ等、または一般的にＨＦ信号を用いて通信する送信／受信装置は、必要な信号を不必要な信号から分離するためにＨＦフィルタを必要とする。このようなフィルタは、たとえばフロントエンド回路（複数）、たとえばデュプレクサ（複数）に回路接続されてよい。
【０００３】
この際このフィルタはチップセットと場合によってはさらに設けられるフィルタ（複数）との間の分配の役割を担うことになる。回路のコストは出来る限り小さくなくてはならない。このフィルタは、他のフィルタの多数の様々なフィルタ技術と適合していなければならず、これに適したデバイスの小さな部品高を可能とし、かつとりわけ高い選択度を可能としなければならない。
【０００４】
常に増え続ける周波数帯域に使用され得る通信機器の動向は、異なる周波数帯域用の異なるフィルタの回路の複雑な回路接続をもたらす。このため、異なる周波数帯域を同じフィルタを用いて利用することができるためのチューナブルフィルタの必要性が生じている。
【０００５】
この要求に対する従来の解決方法は概ね、公知のフィルタ回路をチューナブルなインピーダンス素子で拡張することに基づいているか、あるいはフィルタ素子（複数）を１つのフィルタ接続形態に回路接続する回路を使用することに基づいている。
【０００６】
非特許文献１では、音響共振器（複数）を有するＨＦフィルタ（複数）にチューナブルなコンデンサ（複数）を付加することが知られている。
【０００７】
非特許文献２では、チューナブルなコンデンサ（複数）およびチューナブルなインダクタンス（複数）を有するＨＦ−フィルタ（複数）が知られている。
【０００８】
非特許文献３では、ＬおよびＣ素子（複数）からな回路（複数）が知られており、ここでこのキャパシタンス素子（複数）のキャパシタンスは調整可能である。
【０００９】
非特許文献４あるいは特許文献１では、ＨＦフィルタ（複数）における絶縁体（複数）の使用が知られている。
【００１０】
モバイル通信規格ＬＴＥ−Ａ（Long-Term Evolution-Advanced）においては、ダウンリンク動作および／またはアップリンク動作における大きなデータレートを可能とするために、モバイル電話は、いわゆるキャリアアグリゲーションモード（ＣＡ）で動作されてよい。このＣＡモードにおいては、送信動作および受信動作が１つの第１の周波数帯域で可能であり、他方同時にもう１つの周波数帯において受信することができる。慣例に従い、このため様々な帯域組合せが提案されるであろうが、好ましくは、このＣＡモードにおける周波数帯域が大きく異なっているインターバンドの組合せであろう。このＣＡモードにおいて組み合わされる周波数帯域の周波数差が大きければ大きいほど、この技術の実現は容易となる。
【００１１】
追加的に、組み合わされる周波数帯域が同じ周波数領域または隣接した周波数帯域（複数）にある、バンド組合せが提案されるであろう。このようなインバンドＣＡモードに対しては、１つの単一のアンテナを用いて実現可能な、有望な技術的実現方法はいまだまったく提案されていない。
【先行技術文献】
【特許文献】
【００１２】
【特許文献１】国際出願公開ＷＯ２０１２／０２０６１３号パンフレット
【非特許文献】
【００１３】
【非特許文献１】学会論文“Tunable Filters Using Wideband Elastic Resonators”, Kadota et al., IEEE Transactions on Ultrasonics, Ferroelectrics and Frequency Control, Vol. 60, Nr. 10, October 2013, Page 2129 - 2136
【非特許文献２】学会論文“A Novel Tunable Filter Enabling Both Center Frequency and Bandwidth Tunability”, Inoue et al., Proceedings Of The 42nd European Microwave Conference, 29. October - 1. November 2012, Amsterdam, The Netherlands, Page 269 - 272
【非特許文献３】学会論文“RF MEMS-Based Tunable Filters”, Brank et al., 2001, John Wiley & Sons, Inc. Int J RF and Microwave CAE11: Page 276 - 284, 2001
【非特許文献４】学会論文“Tunable Isolator Using Variable Capacitor for Multi-band System”, Wada et al., 978-1-4673-2141-9/13/$31.00, 2013 IEEE MTT-S Symposium
【発明の概要】
【発明が解決しようとする課題】
【００１４】
本発明の課題は、１つのチューナブルフィルタを有するフロントエンド回路を提示することであり、このフロントエンド回路は、容易に複数の周波数帯域をカバーし、そして簡単な部品（複数）を用いて実現可能である。もう１つの課題は、キャリアアグリゲーションモードを可能とするフロントエンド回路を提示することである。
【課題を解決するための手段】
【００１５】
この課題は、請求項１に記載の特徴を有するフロントエンド回路によって解決される。本発明の有利な構成例が他の請求項で示される。
【００１６】
発明者らは、チューナブルフィルタのみを使用するフロントエンド回路が、すぐにこの回路の大きな複雑化をもたらすことを見い出した。チューナブルフィルタでは、この回路の全ての部品は、その周波数領域内で、このフィルタがチューナブルである周波数領域全体に渡って、そのシステム仕様および具体的にはモバイル通信規格を満足しなければならない。これは広帯域かつ高Ｑ値の部品を必要とする。
【００１７】
本発明は、チューナブルフィルタのみを用いるという原理からは外れたものである。本発明では、１つの第１の周波数領域内でチューナブルな少なくとも１つの第１のフィルタを、１つの特別周波数帯域における通過帯域を備えかつチューナブルでないでない１つの第１の固定フィルタと組み合わせることが提案される。この特別周波数帯域は、上記の第１の周波数帯域の外側または内側にあり、すなわち上記の第１のフィルタのチューナブル領域の外側または内側に配設されている。上記の２つのフィルタは、１つの第１の信号経路あるいは１つの特別信号経路に配設されており、これらは上記のフロントエンド回路のアンテナ接続端子に接続されている。
【００１８】
この回路を用いて、上記の第１のフィルタとそのチューナブルな周波数領域に用いられるモバイル通信規格の周波数帯域をカバーすることが可能である。上記の特別周波数帯域は、こうして１つのモバイル通信規格あるいはこれに対応する帯域に割り当てられてよく、この帯域は通常の周波数領域の外側にあり、こうして特別な位置となっている。これは、このフロントエンド回路が上記の第１の周波数領域および上記の特別周波数帯域をカバーするという、またこのためにこの第１の周波数領域およびこの特別周波数帯域をカバーする、チューナブルフィルタを必要とすることがないという利点を有する。上記のチューナブルでない第１の固定フィルタは、したがってこの特別周波数帯域に最適化されており、このもう１つの信号経路に配設されている、すなわちこの信号経路における信号の処理に使用される他の全ての部品も同様に最適化されている。特に狭帯域の増幅器および、狭帯域あるいはせまい周波数帯域に最適化されたインピーダンスマッチング回路がこの特別信号経路に組み込まれてよい。
【００１９】
上記の第１のチューナブルフィルタを有する上記の第１の信号経路は、たとえば３ＧＰＰコンソーシアムの最も新しいリリースで提案されているように、使用される複数の帯域を含む周波数領域を備える。この第１の周波数領域は、たとえば１つのローバンド領域であってよく、７００〜１０００ＭＨｚの周波数を含んでよい。しかしながらこの第１の周波数領域をハイバンドとして構成することも可能であり、こうして１７００〜２２００ＭＨｚの周波数が含まれていてもよい。
【００２０】
このような比較的狭いチューナブルな周波数領域用のチューナブルフィルタは、今日既に十分なＱ値で供給されているような部品を用いて実現することができる。その周波数帯域に関して占有されている、既に規定された周波数帯域は、たとえばバンド３１であり、この帯域は５００ＭＨｚの下側にあり、こうして次の規定されている帯域からは約２００ＭＨｚ離間している。この帯域を上記のローバンド領域に対して追加的に１つのチューナブルなフィルタを利用してカバーすることは、このチューナブルフィルタを有するフロントエンド回路を非常に複雑なものとするであろう。したがって１つの実施形態によれば、上記の固定フィルタをこのバンド３１に割り当てると有利である。
【００２１】
上記の第１の周波数領域および上記の特別周波数領域は、同時にそれぞれの他の周波数領域またはこの特別周波数領域がそれぞれ他の帯域に障害を引き起こさないように注意が払われていれば、同じアンテナ接続端子に接続されてよい。これはたとえば位相シフト回路を用いて行うことができ、この位相シフト回路は、それぞれ他の周波数帯域または周波数領域の周波数を、この周波数が負荷されない方向に位相回転する。
【００２２】
しかしながら、上記の２つの信号経路を別々のアンテナ接続端子（複数）に導くことも可能であり、これはたとえば１つのダイプレクサの出力（複数）として実現することができる。こうしてこのダイプレクサの入力は１つの共通なアンテナにカップリングすることができる。
【００２３】
しかしながら、上記の２つの信号経路を別々のアンテナに導くことも可能である。このようにして、上記の２つの信号経路における信号間の相互作用および相互の干渉が起こること無しに、これらの２つの信号経路に同時に信号を送信し、また受信することが可能である。
【００２４】
上記のフロントエンド回路に、第２の周波数領域内にチューナブルな第２のフィルタが配設されている第２の信号経路を追加することは、有意義である。この信号経路もまた、上記の第１および第２の信号経路ならびに特別信号経路が接続されている１つの共通なアンテナ接続端子と接続されてよい。マルチプレックス動作は、１つのマルチプレクサを介して行うことができ、たとえば位相シフト回路（複数）を利用して行うことができる。
【００２５】
しかしながら２つのアンテナを設けることも可能であり、この際上記の信号経路（複数）の１つは、直接アンテナにカップリングされてよく、これに対して他の残りの信号経路は、１つのダイプレクサを利用して分離される。代替として、上記の共通のアンテナに接続された２つの信号経路は、１つのマルチプレクサを介して分離されてよい。
【００２６】
その周波数領域内で上記の第２のフィルタがチューナブルとなっている上記の第２の周波数領域は、上記の第１の周波数領域および上記の特別周波数帯域とは異なっている。さらにこれらの周波数領域が、全く周波数の重なりを有しない場合であっても有利である。第１および第２の周波数領域を用いて、広範囲の周波数をこのフロントエンド回路でカバーすることができる。第１および第２の周波数領域は、たとえばこれらがそれぞれローバンドあるいはハイバンドに設定されている周波数をカバーするように選択されてよい。
【００２７】
１つのマルチプレクサおよび／または１つの第２のアンテナを利用して、３つの信号経路すべてにおいて同時に送信および受信することができる。このようにして上記のフロントエンド回路は１つのキャリアアグリゲーションモードに適合するが、ただしこのキャリアアグリゲーションモード（ＣＡ−Ｍｏｄｅ）において組み合わされた周波数帯域（複数）が、このフロントエンド回路の第１および第２の周波数領域および特別帯域内にある場合である。
【００２８】
唯１つの周波数領域内でのキャリアアグリゲーションモードは、さらに１つの固定フィルタ回路が設けられる場合に可能となり、この固定フィルタ回路は、上記の同じアンテナ接続端子にカップリングされていてよい。ここでこの固定フィルタ回路は、１つの音響フィルタを備える。固定フィルタとアンテナ接続端子との間の１つの位相シフト回路あるいは１つのマッチングネットワークは、２つの信号経路における互いに干渉しない動作を可能とし、これらによりその周波数の１つにチューニング可能である。
【００２９】
本発明における１つのフィルタは１つのデュプレクサであるとも見做され、これより上記のチューナブルフィルタは１つのチューナブルデュプレクサであってもよい。同様に、上記のチューナブルでない固定フィルタも１つのデュプレクサであってよい。
【００３０】
ここで１つの信号経路は、上記のデュプレクサの他にさらに２つの部分経路、すなわち１つの送信部分経路および１つの受信部分経路を備え、これらは上記のデュプレクサを介して上記の同じアンテナ接続端子と接続されている。各々の信号経路または各々の部分信号経路においては、さらなる部品（複数）が配設されていてよく、たとえば増幅器またはインピーダンスマッチング回路が配設されていてよい。これらのチューナブルな信号経路、すなわちチューナブルフィルタを有するこれらの信号経路においては、１つの増幅器とこのチューナブルフィルタとの間に１つのインピーダンスマッチング回路が配設されていてよい。これは、その周波数領域内でのチューニングによって、大きな損失をもたらし得るデチューニングが起こり得るので、特に上記の送信部分経路において有利である。同様に、チューナブルフィルタ（複数）を有する信号経路（複数）では、アンテナとフィルタとの間に１つのチューナブルなアンテナチューナーが配設されていると有利である。比較的小さな周波数領域のために、その周波数領域内で上記の２つの信号経路における２つのフィルタがチューナブルであるので、このアンテナチューナーもまた狭帯域となっていてよい。
【００３１】
上記の第１および第２の信号経路において、あるいは原則としてチューナブルフィルタが配設されている全ての信号経路において、チューナブルな増幅器が配設されていてよい。適合する広帯域増幅器に対して、これらのチューナブルな増幅器は、ほぼリニアに動作し、かつこのために適合する広帯域増幅器よりも小さな相互変調積を発生するという利点を有する。さらにこのような増幅器は、高い効率を備える。
【００３２】
そのほかに、送信経路または受信部分経路として構成された信号経路の各々において、１つのマッチングネットワークが配設されていてよい。これらの信号経路においては、チューナブルフィルタが存在しており、好ましくはこのマッチングネットワークもチューナブルである。上記の特別信号経路においては、１つの固定値に設定されたマッチングネットワークで十分である。
【００３３】
上述したように、アンテナは１つのダイプレクサを介して２つの信号経路とカップリングされてよい。この際このような信号経路（複数）がこのダイプレクサを介してカップリングされると、それらの周波数領域または周波数帯域は２つの異なる逓倍領域内にある。これは、それぞれ対応する周波数がほぼ係数２だけ異なる、すなわちこれらの２つの信号経路の周波数領域または周波数帯域がこのような周波数を含むことを意味する。この場合、二重共振を有する１つのアンテナが用いられてよく、このアンテナは基本周波数でも、またこれに付随する高調波でも発振することができ、そしてこのためこれらの２つの周波数で送信および受信することができる。このような特性は、たとえば１つのダイプレクサを介してローバンドにおける１つの周波数領域を有する１つの信号経路を、そのフィルタがハイバンドにおける周波数領域を備える１つの信号経路とカップリングされる場合に達成される。この際信号経路（複数）は互いにカップリングされてよく、これらの信号経路はチューナブルフィルタも、また固定周波数に設定されたフィルタ（固定フィルタ）も備える。
【００３４】
本発明のもう１つの実施形態においては、１つの第２のアンテナが設けられ、このアンテナにもう１つのダイプレクサを介して第３および第４の信号経路がカップリングされている。第３および第４の信号経路は、それぞれ１つの第３のあるいは１つの第４のフィルタを備え、これらは第３あるいは第４の周波数領域においてチューナブルである。ここでも二重共振アンテナが使用されると有利であり、この二重共振アンテナの主共振および第一高調波は、この第３あるいは第４のフィルタの第３あるいは第４の周波数領域にある。既に第１および第２の信号経路でもそうであったように、ここでも上記の第２のダイプレクサの１つの出力部とそれぞれのフィルタとの間にはそれぞれ１つのアンテナチューナーが配設されている。第３および第４の周波数領域は、第１〜第４の周波数領域が互いに異なっているように選択される。しかしながら代替として、これら４つの周波数領域は、２つの周波数領域毎のみで互いに重なっていてよい。
【００３５】
このような構成によって、全部で４つの周波数領域を４つのチューナブルフィルタを介してカバーすることができる。この際、同時に上記の第１および第２の周波数領域における１つの第１の周波数と、上記の第３および第４の周波数領域における１つの第２の周波数とで、同時に送信または受信し、こうして１つのキャリアアグリゲーションモードを可能とすることを簡単に行うことができる。
【００３６】
上記のチューナブルフィルタは具体的にはフィルタ回路として実装されており、これらのフィルタ回路はキャパシタンス（複数）およびインダクタンス（複数）で実現されている。各々のフィルタ回路は、少なくとも１つのチューナブルなリアクタンス素子を備え、具体的には１つのＬＣ共振回路を備える。これらのチューナブルなリアクタンス素子は、それぞれそのチューナブルフィルタに対する所望の仕様を満たすために、高Ｑ値のＬ素子およびＣ素子で実現されている。
【００３７】
高Ｑ値の受動的部品とは、たとえば１００のＱ値を有する部品である。このような高Ｑ値のＬ素子およびＣ素子で、上記のチューナブルキャパシタンスあるいはチューナブルインダクタンスに関して４までのチューニング係数（Abstimmfaktor）を有するチューナブルなリアクタンス素子を実現することができる。これは周波数に換算して２までのチューニング係数に相当する。
【００３８】
１つの簡単な実施形態においては、このようなフィルタ回路は４つの並列共振回路を用いて実装されていてよく、これらの並列共振回路は、直列の信号ライン内の４つのノードにカップリングされている。各々の並列共振回路は、グラウンドに対して回路接続されており、１つの高Ｑ値のチューナブルなリアクタンス素子を備える。これらの並列共振回路またはこれらの並列共振回路の個々の素子は、たとえばカップリングコンデンサ（複数）またはカップリングインダクタンス（複数）を介して、互いにカップリングされており、これらのカップリングコンデンサおよびカップリングインダクタンスは上記の直列の信号ラインの２つの回路ノードの間毎に配設されている。しかしながらこのカップリングは寄生的に行われてもよく、この際互いにカップリングするリアクタンス素子は空間的に互いに近接して配設されている。
【００３９】
さらに上記のチューナブルなフィルタ回路は、１つのバイパスインダクタンス（Brueckeninduktivitaet）または１つのバイパスキャパシタンス(Brueckenkapazitaet)を備え、これらは上記の信号ラインにおいて両側の端部に配設されている２つの回路ノードをバイパスしている。このためこれらのバイパスインダクタンスあるいはバイパスキャパシタンスは、上記の直列信号ラインに対する１つの並列分岐路で回路接続されている。
【００４０】
上記のチューナブルなリアクタンス素子（複数）は、好ましくは並列共振回路（複数）として実装されており、これらの並列共振回路は、それぞれ１つの高Ｑ値のチューナブルコンデンサおよび１つの高Ｑ値のインダクタンスの並列回路を備えている。
【００４１】
高Ｑ値のインダクタンス（複数）は、好ましくはディスクリートなデバイスとして実装されており、これらがコストがかかるようにしかチューナブルには実装することができないのに対し、チューナブルなコンデンサは、様々な種類および形態で実現することができる。
【００４２】
チューナブルなコンデンサ（複数）は、１つの半導体回路においては、バラクタまたは切り替え可能なコンデンサアレイとして構成されていてよい。ここでこのコンデンサアレイの各々のコンデンサは、ＭＩＭ（Metall Isolator Metall）またはＭＥＭＳ（Mikro Elektro Mechanisches System）コンデンサとして構成されている。バラクタが、アナログ的に１つの所定のキャパシタンス値に設定することができる半導体デバイスであるのに対し、コンデンサアレイとして実装されたチューナブルなキャパシタンスは、このアレイの個々のコンデンサの接続および切り離しによってチューニングされる。このため１つの切り替え可能なコンデンサアレイは、複数のコンデンサを備え、これらはスイッチ（複数）を用いて、好ましくは半導体スイッチを利用して互いに独立に、並列に回路接続することができる。ここでこの総キャパシタンスは、このコンデンサアレイの並列に回路接続された個々のコンデンサの和で与えられる。本発明の１つの実施形態においては、１つのチューナブルフィルタと、それぞれの信号経路がカップリングされているそれぞれのアンテナ接続端子との間に、１つのチューナブルな位相シフタが配設されている。
【００４３】
上記のチューナブルな増幅器から始まり、上記のチューナブルなマッチングネットワーク，上記のチューナブルフィルタ，上記のチューナブルなアンテナチューナー，および上記のチューナブル位相シフタの、切り替え可能な素子またはチューナブル素子の全ては、１つの共通な制御ユニットによって制御することができる。この制御ユニットは、たとえば１つのＭＩＰＩ−ＲＦＦＥ（＝mobile industry processor interface - radio frequency front-end）コントローラであり、これはそれぞれ対応する上記のチューナブルな部品の制御用のデジタルまたはアナログの信号を生成することができる。ＭＩＰＩ−ＲＦＦＥコントローラは、無線通信用の端末機器に使用され得る部品全部を制御し、管理し、またチューニングするために設けられている。
【００４４】
１つのＭＩＰＩ信号（＝ＭＩＰＩ−ＲＦＦＥコントローラによって生成された信号）を必要に応じて他の信号に変換するこも可能である。たとえば１つのチューナブル素子がチューニングのための１つのアナログ信号を必要とする場合、１つのデジタルのＭＩＰＩ信号がこのような１つのアナログの制御信号に変換されてよい。
【００４５】
以下で実施例とこれに関連した図を用いて、本発明をより詳細に説明する。これらの図は、本発明を例示するためのみに用いられるものであり、したがって概略的にのみ構成されている。同一かまたは同様に機能する部分は、同じ参照番号で示されている。見易くするために、必ずしも関連する全ての素子はこれらの図には示されていない。
【図面の簡単な説明】
【００４６】
【図１】本発明の１つの簡単な実施形態を示し、この実施形態は、１つのチューナブルなフィルタ回路および１つのチューナブルでないフィルタ回路の組合せ回路を備える。
【図２】１つのチューナブルでないフィルタ回路の部品（複数）を示す。
【図３】１つのチューナブルフィルタを実現する回路の等価回路図を示す。
【図４】１つのアンテナに２つのチューナブルなフィルタ回路および２つの固定フィルタ回路を有する、１つの実施形態を示す。
【図５】１つの切り替え可能なコンデンサアレイを示す。
【図６】６つのフィルタ回路を有するフロントエンド回路を示し、これらのフィルタ回路は４つの異なるアンテナにカップリングされている。
【図７】１つのコントローラ素子を用いた、チューナブルな部品の制御を示す。
【図８】追加的なチューナブルな入力インピーダンスおよび出力インピーダンスを有する１つのチューナブルなフィルタ回路を示す。
【図９】チューナブルな信号経路（複数）の２つの信号経路群および、それぞれ１つの固定フィルタ回路を有する追加的な２つの信号経路を有するフロントエンド回路を示す。
【００４７】
図１は、本発明によるフロントエンド回路の１つの第１の実施形態を、概略的な記号表示で示す。このフロントエンド回路は、１つの第１のチューナブルなフィルタ回路ＦＳＴと、その周波数が固定された１つのフィルタ回路ＦＳＦ（固定フィルタ、“Festfilter”）とを備え、この固定フィルタは、チューナブルに構成されておらず、この結果１つの決まった周波数帯域のみに対し通過可能となっている。
【００４８】
第１のチューナブルなフィルタ回路ＦＳＴにおいては、１つの第１の信号経路ＳＰ１が１つのアンテナにカップリングされている。したがってこの信号経路は、このアンテナを、１つの（図示されていない）半導体デバイスと接続しており、たとえば送信される信号が生成され、あるいは受信される信号が処理される送受信器と接続している。この第１の信号経路には、１つのチューナブルフィルタＦＴ１が配設されており、これはここではデュプレクサとして実装されている。このデュプレクサは、信号を２つの部分経路、すなわち１つの送信部分経路ＴＸおよび１つの受信部分経路ＲＸに分割する。
【００４９】
送信部分経路ＴＸには、上記の半導体デバイスと上記のチューナブルフィルタとの間に、１つのチューナブルな増幅器ＡＭＰおよび１つの、好ましくはチューナブルなマッチングネットワークＭＣも配設されている。
【００５０】
受信部分経路ＲＸには、１つのチューナブルな増幅器ＡＭＰも配設されている。    ＲｘおよびＴｘの各々の経路は、後で図８で説明するように適宜追加されて構成されていてよい。上記のチューナブルフィルタは、１つのチューナブルなインピーダンスマッチング部および位相マッチング部を備えてよく、あるいはこれを可能とする回路と接続されていてよい。
【００５１】
送信部分経路ＴＸにおける増幅器は電力増幅器（Power Amplifier）として構成されており、これに対し受信部分経路ＲＸにおける増幅器はＬＮＡ（Low Noise Amplifier）として構成されている。
【００５２】
チューナブルな第１のフィルタＦＴ１とアンテナＡとの間にはアンテナチューナーＡＴＵが配設されており、このアンテナチューナーは第１のチューナブルフィルタＦＴ１とこのアンテナＡとの間のインピーダンスのマッチングを行う。
【００５３】
固定フィルタ回路ＦＳＦは、１つの特別信号経路ＳＰＸを備え、この特別信号経路はアンテナＡにカップリングされており、またこのアンテナを、たとえば１つの送受信回路を有する１つの半導体デバイスとも接続している。アンテナ側には、１つの通過周波数に設定された１つの固定フィルタＦＸが配設されており、この固定フィルタは図ではデュプレクサとして実装されており、特別信号経路ＳＰＸを送信部分経路ＴＸと受信部分経路とに分割している。送信部分経路ＴＸには、１つの電力増幅器が配設されており、受信部分経路には１つのＬＮＡが配設されている。このフィルタＦＸとアンテナＡとの間には、さらにインピーダンスマッチング用の１つのアンテナマッチング回路ＡＭＣが設けられていてよい。増幅器ＡＭＰ（ＰＡまたはＬＮＡ）と固定フィルタＦＸとの間のマッチング部が、特別信号経路あるいは固定フィルタ回路ＦＳＦに適宜追加して設けられてよい。これらの素子がチューナブルであることは、原則として必須ではない。
【００５４】
図示したフロントエンド回路を用いて、１つの第１の周波数領域がカバーされてよく、この第１の周波数領域は、第１のフィルタＦＴ１のチューニング領域に対応する。さらに特別信号経路ＳＰＸ用に、他の周波数領域から大きく離れている周波数帯域が選択されていてよく、この周波数帯域においては、直接隣接するさらなる周波数領域（複数）は、現在の規格では設けられていない。このような特別周波数帯域用の可能性のある候補は、ＬＴＥバンド３１である。この周波数帯域は、約５００ＭＨｚにあり、これより通信用に協議あるいは規定されている全ての帯域の最も低い周波数に対応する。１つのチューナブルフィルタを、これが７００〜１０００ＭＨｚのローバンド領域および追加的に上記のバンド３１を含むように構成することは難しいので、これはある程度の技術的努力を必要とする。本発明による解決方法は、特別信号経路ＳＰＸおよびこれに設定されるフィルタ帯域３１を構築することであり、フロントエンド回路へのバンド３１の組み込みを容易とし、チューナブルフィルタＦＴ用の１つのより簡単かつより複雑でない構成を可能とするものである。
【００５５】
チューナブルでない固定フィルタＦＸは、１つの音響フィルタであってよく、たとえば１つのＳＡＷフィルタまたは１つのＢＡＷフィルタであってよい。しかしながら、このチューナブルでないフィルタを、受動的な部品（複数）の１つの回路接続部として実現することも可能である。
【００５６】
図２は、再び固定フィルタ回路ＦＳＦの部品（複数）を分離して示している。特別信号経路ＳＰＸは、１つのアンテナ接続端子ＡＴを１つの送受信回路と接続している。さらにこの特別信号経路ＳＰＸには、１つの電力増幅器ＡＭＰならびに１つのマッチング回路ＭＣが設けられている。このマッチング回路はチューナブルであってよく、しかしながら固定配線されたチューナブルでないマッチング回路であってもよい。受信信号経路Ｒｘにおいて、このような構造が原則として同様に設けられてよい。
【００５７】
第１の信号経路ＳＰ１および特別信号経路ＳＰＸは、それぞれ１つのアンテナ接続端子ＡＴと接続されており、このアンテナ接続端子はアンテナＡとカップリングされている。これら２つの信号経路の合流は１つのマルチプレクサにおいて行われ、このマルチプレクサがダイプレクサＤＰをして実装されていてよい。しかしながら、１つの信号経路またはこれら２つの信号経路に位相シフト回路が設けられることも可能であり、この位相シフト回路を利用してそれぞれの他の信号経路の周波数を遮断することができる。
【００５８】
図３は、Ｌ素子およびＣ素子から実現されている１つのチューナブルフィルタＦＴの１つの可能な実施形態を示す。このフィルタは１つの直列信号ラインＳＬを備え、この信号ラインは１つの第１の接続端子Ｔ１を１つの第２の接続端子Ｔ２と接続している。この信号ラインは、４つの回路ノードＮを備え、これらにはそれぞれグラウンドに対し１つの並列分岐路が回路接続されている。ここでは各々の並列分岐路は、１つのチューナブルなキャパシタンスＣＴおよび１つの並列インダクタンスＰＬの１つの並列回路を備える。
これらの並列分岐路は、互いに容量性または誘導性でカップリングされており、たとえば図示するように、それぞれ２つの回路ノードＮの間に配設されているカップリングコンデンサ（複数）ＣＫを介してカップリングされている。２つのさらなる接続キャパシタンスＣＡが、この信号ラインの最も外側の回路ノードと、接続端子Ｔ１あるいはＴ２との間に配設されている。これらの接続キャパシタンスを介して、このフィルタ回路ＦＴの接続インピーダンスが設定される。
【００５９】
これら２つの端部にある信号ノードは、１つのバイパスインダクタンスＢＩまたは１つのバイパスキャパシタンス（不図示）を用いて、並列にバイパスされており、こうしてこれは信号ラインＳＬに対して１つの並列経路を構成している。
【００６０】
チューナブルなキャパシタンス（複数）ＣＴをそれぞれ適宜チューニングすることによって、このフィルタの通過帯域をチューナブル領域内にシフトすることができる。高Ｑ値の受動的部品が上記の並列回路に使用されると、これより最大で係数２のチューニングを達成することができる。しかしながら実際には、１つの小さな周波数領域でチューナブルであるようにとどめることで充分である。
【００６１】
図４は、図１に示す構成体が、２つのさらなる信号経路およびこれらに割り当てられた周波数領域あるいは周波数帯域によって、どのように拡張されるかの、１つの一般的な可能性を示す。
【００６２】
ここに示すフロントエンド回路は、２つの固定フィルタ回路ＦＳＦ１およびＦＳＦ２、ならびに２つのチューナブルなフィルタ回路ＦＳＴ１，ＦＳＴ２を備え、これらにおいてそれぞれ１つの信号経路が実現されている。４つの信号経路全ては、たとえばダイプレクサとして実装されていてよい、１つのマルチプレクサＭＰＸを介して合流することができ、第１のチューナブルなフィルタ回路ＦＳＴ１の第１の周波数領域および第２のチューナブルなフィルタ回路ＦＳＴ２の第２の周波数領域は、その周波数に関して異なっており、さらに、チューナブルでないフィルタ回路ＦＳＦ１およびＦＳＦ２が設定されている帯域と異なっている。これらのチューナブルでないフィルタは、それぞれここでも、使用されている周波数領域の外側の１つの帯域、好ましくは非常に低い周波数か、非常に高い周波数か、または２つの互いに離間した周波数領域の間の中央に配設されている周波数を有する１つの帯域にチューニングされていてよい。このためここでも約５００ＭＨｚに設定されたバンド３１、中央の周波数が約１４５０ＭＨｚに設定されたバンド２１、ならびに非常に高い周波数にあるバンド２２が使用される。１番目と２番目の周波数領域は、公知のローバンド領域およびハイバンド領域に割り当てられてよい。しかしながら、上記の２つのチューナブルな周波数領域を上記の周波数とは別の周波数領域に割り当てることも可能であり、また上記の２つのチューナブルでないフィルタ回路ＦＳＦの特別周波数帯域も同様である。
【００６３】
チューナブルでないフィルタを有する上記の２つの特別信号経路ＳＰＸと、上記のマルチプレクサＭＰＸとの間には、それぞれ１つのアンテナマッチング部ＡＭＣが設けられており、このアンテナマッチング部は、受動的な部品の、可変でない回路接続部を備えている。
【００６４】
これらの２つのチューナブルなフィルタ回路ＦＳＴ１およびＦＳＴ２と、マルチプレクサＭＰＸとの間には、アンテナチューナー回路ＡＴＵが設けられており、このアンテナチューナー回路は、チューナブルフィルタとマルチプレクサとの間のインピーダンスを、チューニングされた周波数に応じてマッチングする。
【００６５】
それぞれ１つのチューナブルなフィルタ回路ＦＳＴおよび１つのチューナブルでないフィルタ回路ＦＳＦから選択された、２つのフィルタ回路毎に、マルチプレクサＭＰＸの１つの出力が割り当てられている。この回路対の形成は、周波数分離が、マルチプレクサにおける１つのハイパスフィルタおよび１つのローパスフィルタを介して実現され得るように行われる。
【００６６】
図５は、１つの切り替え可能なコンデンサアレイを概略的に示し、このコンデンサアレイでは、スイッチ（複数）ＳＷを利用して、キャパシタンス（複数）Ｃの並列回路接続を行うことができる。これらのスイッチＳＷ１〜ＳＷＮの各々は、Ｃ１〜ＣＮのキャパシタンス値を、基本キャパシタンスＣ０に追加接続することができ、こうして追加接続されたキャパシタンス（複数）の並列接続が生成され、そのキャパシタンス値は、これらの個々のキャパシタンス値の和で与えられる。このような切り替え可能なコンデンサアレイを用いて、生成される総キャパシタンスを広いチューナブル領域内で変化させることができる。こうしてこのようなコンデンサアレイを用いて、このフィルタ回路のチューニング領域を大きくすることができる。この図の右側には、１つのチューナブルなキャパシタンスＣＴに対する回路記号が示されており、ここではこれは同様にこの切り替え可能なコンデンサアレイで実現されている。
【００６７】
図示されてはいないが、チューナブルなキャパシタンスは、バラクタとして構成されている。このようなデバイスは、公知のものであり、特に説明あるいは図示することを必要としないであろう。
【００６８】
図６は、さらに拡張されたフロントエンド回路を示す。この実施形態においては、２つのチューナブルでないフィルタ回路ＦＳＦ１およびＦＳＦ２がそれぞれ１つのアンテナマッチング回路ＡＭＣを介してそれぞれ１つの別々のアンテナと接続されている。もう１つのアンテナＡ２を用いて、１つの第１の信号経路および１つの第２の信号経路がそれぞれ、１つの第１の周波数領域および１つの第２の周波数領域用の１つのチューナブルフィルタと接続されている。アンテナ側では、これら２つの信号経路が１つのデュプレクサに合流しており、ここで上記のチューナブルフィルタ（複数）とこのデュプレクサとの間には、それぞれ１つのアンテナチューナーが配設されている。同様に、第２のアンテナＡ２には、チューナブルフィルタ（あるいはチューナブルなフィルタ回路ＦＳＴ１，ＦＳＴ２）が配設されている２つの信号経路が１つのダイプレクサＤＰ２を介して接続されている。このチューナブルフィルタを有する第３の信号経路および第４の信号経路と、第１の信号経路および第２の信号経路の回路接続とは、チューナブルとなっているチューナブルフィルタの周波数領域のみが異なっている。結果として４つの異なる周波数領域を有する４つの信号経路がこの回路を用いてカバーされ、ここでこれらの４つのチューナブルフィルタの各々は、これらの周波数領域の１つの周波数領域内でチューナブルとなっている。それぞれ１つの固定周波数に割り当てられたフィルタを有する、２つのチューナブルでない信号経路は、上記の４つの周波数領域の外側にある周波数帯域をカバーしている。これらの信号経路の各々は、図１および図２を参照して既に説明したように構成されていてよい。
【００６９】
図６に示す構成を用いて、その４つの別々のアンテナのおかげで、２つのチューナブルな周波数領域において、かつ２つの固定して割り当てられた帯域において、同時動作が可能となる。それぞれ対応したデュプレクサの適合した構成により、それぞれ１つのデュプレクサと接続されている２つの信号経路も同様に同時に駆動することができ、こうして同時に駆動される信号経路は合計で６個に増加する。
【００７０】
上記の４つのチューナブルなフィルタ回路ＦＳＴ１〜ＦＳＴ４は、異なる周波数帯域に割り当てられてよい。たとえば、第１のチューナブルなフィルタ回路ＦＳＴ１を７００〜１０００ＭＨｚのローバンド領域に割り当て、第２のチューナブルなフィルタ回路ＦＳＴ２を１７００〜２３００ＭＨｚの領域に割り当て、第３のチューナブルなフィルタ回路ＦＳＴ３を１４００〜１７００ＭＨｚの領域に割り当て、そして第４のチューナブルなフィルタ回路ＦＳＴ４を２３００〜２７００ＭＨｚの領域に割り当てることが可能である。
【００７１】
この際１つの共通なアンテナに割り当てられて、１つのダイプレクサＤＰを介して分離された周波数領域（複数）は、１つの二重共振アンテナがそれぞれの周波数領域の組合せに対し最適化され得るように、これらの周波数帯域がほぼ係数２だけ異なるように設定される。
【００７２】
２つのチューナブルでない、固定された帯域に割り当てられるフィルタ回路ＦＳＦ１およびＦＳＦ２は、以上の領域の外側にある帯域に割り当てられてよい。たとえば第１のチューナブルでないフィルタ回路ＦＳＦ１が、約５００ＭＨｚにあるバンド３１に、そして第２のチューナブルでないフィルタ回路ＦＳＦ２は、２７００ＭＨｚよりはるか彼方の１つの周波数帯域に割り当てられてよい。これらの特別な帯域は、さもなければ第１乃至第４のチューニング領域においては含むことが困難であり、したがって分離して実現することが有利なものである。
【００７３】
代替として、これらの２つのチューナブルでない固定フィルタ回路ＦＳＦ１およびＦＳＦ２に対しては、１つのイントラバンドＣＡモードを可能とするような帯域が選択されていてよい。すなわちＣＡモード用のこれらの帯域は、チューナブルなフィルタの１つのチューナブル領域において規定され、および／または設けられている。
【００７４】
他の全ての図におけるように、この図ではチューナブルフィルタは具体的には１つのデュプレクサとしており、これは送信フィルタに関しても、また受信フィルタに関してもチューナブルに構成されている。しかしながらこれとは異なり、１つの信号経路が唯１つのフィルタを備え、そしてたとえば１つの受信フィルタＲＸを有する純粋な無線通信バンドとして構成されていてもよい。特にこのような純粋な無線チャネルは、チューナブルでないフィルタ回路ＦＳＦに割り当てられてよい。
【００７５】
図７は、チューナブルなインピーダンス素子（複数）ＩＥＴの組合せ回路の可能な制御を示し、この組合せ回路は、たとえばチューナブルなコンデンサ（複数）を備えてよく、またたとえば図３に示すように、１つのチューナブルなフィルタ回路ＦＳＴに使用されていてよい。ここに示す４つのチューナブルなインピーダンス素子ＩＥＴの各々は、１つの共通な制御素子ＣＥと接続されており、この制御素子は、それぞれのコンデンサのアナログデータまたはデジタルデータを供給する。この制御素子ＣＥは、１つのＭＩＰＩ−ＲＦＦＥコントローラを介して制御されてよく、このコントローラはデジタル命令（複数）を供給し、次にこれらのデジタル命令は、上記のチューナブルなコンデンサ（複数）ＣＴ用にそれぞれ対応し、また適合するように変換される。
【００７６】
本発明による１つのフロントエンド回路のチューナブルなインピーダンス素子全部は、１つの単一の半導体素子において実現されていてよく、１つの共通な制御素子ＣＥによって制御されてよい。
【００７７】
図８は、１つのチューナブルフィルタ回路ＦＴのもう１つの実施形態の可能性を示し、このチューナブルフィルタ回路は、各々のチューナブルな信号経路に配設されていてよい。さらに、周波数チューニングのために、この回路は、入力部側および出力部側で、さらにインピーダンスマッチング回路ＭＣを備えてよく、このインピーダンスマッチング回路は、たとえば図３に示すように１つのチューナブルなフィルタ回路に組み込まれていてよい。これらのマッチング部は、チューナブルなインピーダンス素子として構成されていてよく、たとえばチューナブルコンデンサとして構成されていてよい。
【００７８】
図９は、もう１つの実施形態を示す。アンテナＡは、１つのダイプレクサＤＩと接続されており、このダイプレクサは、その出力部（複数）で実質的に２つのアンテナ接続端子を提供している。これらの２つの出力部すなわちアンテナ接続端子の各々には、２つ以上の信号経路からなる１つの信号経路群Ｇ１，Ｇ２がカップリングされている。これらの信号経路の各々の信号経路群は、チューナブルフィルタ（複数）ＦＴを備え、ここで１つの信号経路群のチューナブルフィルタ（複数）の全ては、それらのチューニング領域（複数）が同じ周波数領域に割り当てられており、これに対して他の信号経路群のチューナブルフィルタ（複数）は、この周波数領域とは異なる周波数領域に割り当てられている。
【００７９】
これら２つの信号経路群、あるいはこれら２つの信号経路群内のフィルタ（複数）のチューニング領域（複数）は、異なる周波数領域に割り当てられており、この周波数領域は、７００ＭＨｚ未満の領域、７００ＭＨｚ〜１０００ＭＨｚの領域、１０００〜１４００ＭＨｚの領域、１４００〜１７００ＭＨｚの領域、１７００〜２２００ＭＨｚの領域、２２００〜２７００ＭＨｚの領域、および２７００ＭＨｚより上の領域から選択されている。
【００８０】
上記の信号経路（複数）の各々の信号経路群内には、少なくとも１つの信号経路が、送信動作用のチューナブルフィルタと共に１つの信号経路、すなわちＴｘ経路を構成しており、これに対し信号経路群Ｇの他の信号経路は、受信経路、すなわちＲｘ経路として構成されている。図９に示すように、各々の信号経路群はさらに、１つの適宜追加される第３の信号経路を備えており、この第３の信号経路は、好ましくはＲｘ経路として構成されているが、ただし同様にチューナブルフィルタを用いて構成されている。
【００８１】
各々のチューナブルフィルタは、たとえば図８に示すように構成されている。さらに各々の信号経路はアンテナ側にさらに、その位相角がチューナブルな、１つの位相シフト回路ＰＳを備えている。フィルタ伝達関数が最適化された小さなバンド内損失となり、そしてその通過帯域外で信号が最適に抑圧されることを実現できるように、これらの位相シフト回路は、２つまたは３つのフィルタを１つの共通なアンテナ接続端子に合流させることを可能とする。
【００８２】
ダイプレクサＤＩは、上記の２つの周波数領域を分離し、そして伝送される信号を、上記の信号経路（複数）のそれぞれの信号経路群に対応する周波数領域（複数）にそれぞれ割り当てることができる。これらの信号経路は、さらに入力インピーダンスおよび出力インピーダンスのマッチングのための回路（複数）を備えるので、アンテナチューナーは不要である。
【００８３】
フィルタとアンテナ接続端子との間には、１つの位相シフト回路ＰＳがそれぞれの信号経路に配設されており、他方このアンテナに向いてない端部には、適宜追加されるチューナブルに構成されている１つの増幅器ＡＭＰが配設されている。図８に示す、１つのチューナブルな入力インピーダンスおよび出力インピーダンスが追加されて構成されているこれらのチューナブルフィルタによって、このフィルタは、負荷インピーダンスに最適にマッチングすることができる。この回路は、ＴＤＤ動作に対しても、またＦＤＤ動作に対しても適合しており、また使用可能である。
【００８４】
図９に示すように、この構成体はさらに固定フィルタ回路ＦＣ１、ＦＣ２を有する１つまたは２つの信号経路が追加されており、これらはそれぞれダイプレクサＤＩの２つの出力部の１つと接続されている。各々の固定フィルタ回路は、１つの周波数帯域に固定されて設定されたフィルタと、１つの対応する増幅器とを備える。このフィルタは、１つのデュプレクサであってもよい。このフィルタは、１つの音響フィルタであってよい。固定フィルタ回路ＦＣとこのデュプレクサとの間には、１つのマッチングネットワークが回路接続されており、このマッチングネットワークは、上記のアンテナあるいはその負荷にマッチングされている。
【００８５】
これらのさらなるフィルタ回路ＦＣには、上記のダイプレクサの同じ出力部に接続されている、上記の信号経路（複数）の信号経路群と同じ周波数領域が割り当てられていてよい。以上により、１つのイントラバンドキャリアアグリゲーション動作モードが可能となり、この動作モードでは同じ周波数帯域または同じ周波数領域内にある２つの周波数を１つのモバイル通信接続に対して同時に使用することができる。これはチューナブルフィルタのみを用いると、コストを掛けないと達成されない。
【００８６】
２つの固定フィルタ回路ＦＳＦ１およびＦＳＦ２の帯域（複数）は、上記の２つの信号経路群におけるチューナブルフィルタ（複数）のチューナブル領域と重なってよい。
【００８７】
異なる周波数領域に設定されている、同時に伝送することができる帯域（複数）を用いるキャリアアグリゲーション動作モードが、既に２つの上記の信号経路（複数）の信号経路群Ｇ１、Ｇ２を用いて可能である。これらの信号経路群はもちろん異なる周波数領域に割り当てられており、それぞれに１つのＴｘ信号経路および１つのＲｘ信号経路が与えられている。
【００８８】
もう１つの実施形態によれば、同じ信号経路群のＴｘ信号経路およびＲｘ信号経路は、標準的なデュプレクス動作用に、すなわち同じ帯域内での同時の送信および受信用に用いることができる。位相シフト回路およびチューナブルなインピーダンスマッチング部は、このデュプレクス機能を、それぞれ他の信号経路における相互干渉無しに可能とする。
【００８９】
フィルタ回路（複数）ＦＣを有する上記の追加的な信号経路が、上記の２つの信号経路群に割り当てられた周波数領域の外側の１つの帯域に設定されていてもよい。このような帯域は、１つのキャリアアグリゲーション動作モード用に設定されていてよく、すなわち上記の信号経路群の２つの周波数領域の１つの周波数領域内に１つの帯域を有するＣＡモード用に設けられていてよい。
【００９０】
本発明は図示されたもの、および実施形態例で説明された配置構造および構成に限定されない。むしろ本発明は請求項１の特徴によって特徴付けられ、またさらに個別の新たな特徴を含むものであり、これらは単独なものも、また他の特徴との組み合わせて従属請求項（複数）において記載されるものも含むものである。
【符号の説明】
【００９１】
0006325682.tif 000002
【図１】
0006325682.tif 000003
【図２】
0006325682.tif 000004
【図３】
0006325682.tif 000005
【図４】
0006325682.tif 000006
【図５】
0006325682.tif 000007
【図６】
0006325682.tif 000008
【図７】
0006325682.tif 000009
【図８】
0006325682.tif 000010
【図９】
0006325682.tif 000011